(57)【要約】      （修正有）【課題】ユーザがダビングを要求してからダビングが完了するまでに要する時間を短くする場合でも、補助記憶装置の空き容量の減少に起因するユーザの負担を減少させる録画装置を提供する。【解決手段】チューナーで受信された番組データを録画する録画手段３１と、ユーザによるダビング要求に先だって、録画済みの番組データを第１の領域２０３に記録する自動保存手段３２と、ユーザによるダビング要求があった際、ダビング要求の対象となる番組データが第１の領域２０３に記録されている場合は、該当する番組データが記録されている第１の領域２０３をユーザ記録領域に変更することで、ダビングを完了させるダビング手段３３と、を有する。録画手段３１は、番組データを録画する場合、補助記憶装置２０の番組データを記録することができる容量として、第１の領域２０３と前記第２の領域２０４とを含めて判断する。【選択図】図４
2015226119.tif 000002
【特許請求の範囲】
【請求項１】
番組データが記録されているユーザ記録領域、空き領域、前記空き領域の一部である第１の領域および第２の領域を備える補助記憶装置と、
チューナーで受信された番組データを録画する録画手段と、
ユーザによるダビング要求に先だって、録画済みの番組データを前記第１の領域に記録する自動保存手段と、
ユーザによるダビング要求があった際、ダビング要求の対象となる番組データが前記第１の領域に記録されている場合は、該当する番組データが記録されている前記第１の領域を前記ユーザ記録領域に変更することで、ダビングを完了させるダビング手段と、を有し、
前記録画手段は、前記番組データを録画する場合、前記補助記憶装置の前記番組データを記録することができる容量として、前記第１の領域と前記第２の領域とを含めて判断する、ことを特徴とする録画装置。
【請求項２】
前記録画手段は、前記第２の領域に十分な空き容量がある場合は、録画対象の番組データを前記第２の領域に録画し、前記第２の領域に十分な空き容量がない場合は、前記第１の領域に記録された番組データを削除して、録画対象の番組データを前記第１の領域に記録する、ことを特徴とする請求項１に記載の録画装置。
【請求項３】
前記自動保存手段は、ユーザの番組データの嗜好度をもとに、前記第１の空き領域に記録する番組データを選択する、ことを特徴とする請求項１または請求項２のいずれかに記載の録画装置。
【請求項４】
前記自動保存手段は、１つの番組にかかる番組データを分割し、分割された前記番組データの一部のみを、前記第１の領域に記録する、ことを特徴とする請求項１から請求項３のいずれか一項に記載の録画装置。
【請求項５】
前記録画手段は、前記チューナーで受信した番組を前記補助記憶装置の常時録画領域に常時録画し、
前記自動保存手段は、前記常時録画領域に記録された番組データを前記第１の領域に記録する、ことを特徴とする請求項１から請求項４のいずれか一項に記載の録画装置。
【請求項６】
前記常時録画領域に記録されている番組データの再生を選択することができる電子番組表を表示する電子番組表示手段を有し、
前記録画手段は、前記常時録画では、前記常時録画領域の記録可能容量が閾値を下回った場合は、前記常時録画領域に記録されている番組データの中で録画日時が最も古い番組を削除し、
前記電子番組表表示手段は、前記常時録画の削除対象となった番組データが前記第１の領域に自動保存されている場合は、この番組データを前記電子番組表に表示させる、ことを特徴とする請求項５に記載の録画装置。
【請求項７】
前記補助記憶装置には、フォーマット変換が行われる番組データが記録される、ことを特徴とする請求項１から請求項４のいずれか一項に記載の録画装置。
【請求項８】
前記番組データは、コピー制限コンテンツであって、
前記自動保存手段は、前記第１の領域に記録する際はコピー回数を減らさず、
前記ダビング手段は、前記第１の空き領域に記録された該当する番組データのダビングを完了する場合は、前記コピー回数を減らす、ことを特徴とする請求項１から請求項４のいずれか一項に記載の録画装置。
【発明の詳細な説明】
【技術分野】
【０００１】
本発明は、補助記憶装置を備える録画装置に関する。
【背景技術】
【０００２】
録画装置では、番組を録画するための補助記憶装置を備えている。特許文献１には、補助記憶装置として、ＨＤＤ等の磁気記憶型と、光ディスクとを備える録画装置が開示されている（例えば、特許文献１参照）。
【０００３】
特許文献２には、補助記憶装置に録画したデータを、他の補助記憶装置や同じ補助記憶装置内の別の領域にダビングすることができる録画装置が開示されている。また、特許文献２に記載された録画装置では、ダビングに要する見かけの時間を短くするため、実際のダビング処理に先だって補助記憶装置にダビングを行うデータを記録しておき、ユーザからダビング要求があると、事前に記録されたデータをダビングデータとして使用する。
【先行技術文献】
【特許文献】
【０００４】
【特許文献１】特開２００４−３２６８８４号公報
【特許文献２】特開２００５−２６０５６２号公報
【発明の概要】
【発明が解決しようとする課題】
【０００５】
ダビングに要する時間を短くするために、前もって自動保存する場合、補助記憶装置の空き容量が減るため、録画装置が番組を録画する際、録画ができない場合も想定される。
【０００６】
本発明は、上記課題にかんがみてなされたもので、ユーザがダビングを要求してからダビングが完了するまでに要する時間を短くする場合でも、補助記憶装置の空き容量の減少に起因するユーザの負担を減少させることを目的とする。
【課題を解決するための手段】
【０００７】
上記課題を解決するために、本発明の一態様では、番組データが記録されているユーザ記録領域、空き領域、前記空き領域の一部である第１の領域および第２の領域を備える補助記憶装置と、チューナーで受信された番組データを録画する録画手段と、ユーザによるダビング要求に先だって、録画済みの番組データを前記第１の領域に記録する自動保存手段と、ユーザによるダビング要求があった際、ダビング要求の対象となる番組データが前記第１の領域に記録されている場合は、該当する番組データが記録されている前記第１の領域を前記ユーザ記録領域に変更することで、ダビングを完了させるダビング手段と、を有し、前記録画手段は、前記番組データを録画する場合、前記補助記憶装置の前記番組データを記録することができる容量として、前記第１の領域と前記第２の領域とを含めて判断する。
【０００８】
自動保存手段は、第１の領域に番組データにかかる全てのデータを記録する場合のほか、番組データのうち、一部のデータを記録する場合も含まれる。
『補助記憶装置の前記番組データを記録することができる容量として、第１の領域と第２の領域とを含めて判断する』とは、自動保存手段が第１の領域に番組データを記録している場合でも、番組データを記録できる容量としては、第１の領域と第２の領域とを含めて判断することを意味する。例えば、自動保存により第１の領域に番組データが記録された場合でも、録画の際にはこの第１の領域に番組データ録画することができることを意味している。
【０００９】
上記のように構成された発明では、ユーザからのダビング要求に先だって、自動保存手段は番組データを補助記憶装置の第１の領域に記録する。ダビング手段は、ダビング対象となる番組データが第１の領域に記録されていれば、この第１の領域をユーザ記録領域に変換してダビングを完了させる。
また、録画手段は、補助記憶装置の空き容量を第１の領域と第２の領域とを含めて判断する。そのため、録画装置を使用するユーザには、補助記憶装置の空き容量がダビング処理に占有されず、ユーザの負荷を低減させることができる。
【図面の簡単な説明】
【００１０】
【図１】一例としての録画装置１００の外観図。
【図２】本発の一実施形態に係る録画装置１００の 内部構成を示すブロック図。
【図３】補助記憶装置２０の記録領域を説明する図。
【図４】システムコントローラ３０の機能を説明する機能ブロック図。
【図５】ダビング処理を説明するフローチャート。
【図６】自動保存手段３２がステップＳ４で実施する自動保存を説明するフローチャート。
【図７】ダビング手段３３がステップＳ１０で行うダビング処理を説明するフローチャート。
【図８】第２の実施形態において、図５のステップＳ４で実施される自動保存を説明するフローチャート。
【図９】第２の実施形態において、図５のステップＳ１０で行われるダビング処理を説明するフローチャート。
【図１０】第５の実施形態において、図５のステップＳ４（自動保存処理）で実施される処理を説明するフローチャート。
【図１１】第５の実施形態において、図５のステップＳ１０で行われるダビング処理を説明するフローチャート。
【図１２】システムコントローラ３０が実行する処理を示すフローチャート。
【図１３】録画装置１００によって表示される電子番組表を示す図。
【発明を実施するための形態】
【００１１】
以下、下記の順序に従って本発明の実施形態を説明する。
１．第１の実施形態：
（１）録画装置の構成
（２）ダビング方法
２．第２の実施形態：
３．第３の実施形態：
４．第４の実施形態：
５．第５の実施形態：
６．第６の実施形態：
７．第７の実施形態：
８．その他の実施形態：
【００１２】
１．第１の実施形態：
（１）録画装置の構成
【００１３】
図１は、一例としての録画装置１００の外観図である。録画装置１００は、図示しないアンテナと接続し、このアンテナを通じて受信されるテレビジョン放送を録画することができる。第１の実施形態で示す録画装置は、補助記憶装置としてＨＤＤを内蔵しており、番組にかかるデータをこのＨＤＤに録画（記録）する。また、録画装置１００は、ＨＤＤに録画した番組データをダビングすることができる。
【００１４】
図２は、本発の一実施形態に係る録画装置１００の 内部構成を示すブロック図である。図２に示す録画装置１００は、チューナーユニット１１、復調ＩＣ１２、トランスコーダ１３、補助記憶装置２０、フラッシュメモリ１４、ＤＲＡＭ１５、ＳＯＣ１６、サブコントローラ１７、出力ＩＦ１８を備えている。
【００１５】
チューナーユニット１１は、複数のチューナー＃１〜♯Ｎを備えている。各チューナー＃１〜＃Ｎは、アンテナから地上デジタル放送や、衛星放送の信号を受信する。この第１の実施形態では、チューナー部＃１〜＃６は、ループ録画（常時録画）に使用されるチューナーである。
【００１６】
チューナーユニット１１の出力側には、復調ＩＣ１２が接続されている。復調ＩＣ１２は、各チューナー＃１〜＃Ｎで受信したテレビジョン放送を復調し、トランスポートストリームＴＳ（Transport Stream）を生成する。復調ＩＣ１２は、チューナー＃１〜＃Ｎのそれぞれと個別に接続する独立した回路を備えており、チューナー＃１〜＃Ｎにより受信した信号を同時に復調することができる。
【００１７】
また、復調ＩＣ１２の出力側には、トランスコーダ１３が接続されている。トランスコーダ１３は、復調ＩＣ１２により復調されたＴＳが入力され、ＴＳに対して所定の変換処理を施すことにより、データサイズを変更する。
トランスコーダ１３は例えば、デコード形式を変更することなく動画データの解像度を 下げたり、フレーム間予測情報が少ない演算方法により不可逆圧縮したりすることにより 、データサイズを縮小する。  
【００１８】
トランスコーダ１３の出力側にはＳＯＣ１６が接続されている。ＳＯＣ（System On Chip）１６は、トランスコーダ１３から出力されたＴＳを補助記憶装置２０に録画する際の処理を行う。また、ＳＯＣ１６には、複数の補助記憶装置２０（ＨＤＤ２１、ＵＳＢＨＤＤ２２）が接続されており、トランスコーダ１３の各入出力ラインと、補助記憶装置２０とを個々に繋いでいる。また、ＳＯＣ１６には、録画装置１００の動作を統合的に制御するシステムコントローラ３０が内蔵されている。システムコントローラ３０の機能については後述する。
【００１９】
ＳＯＣ１６に接続される補助記憶装置２０は、ＨＤＤ２１、ＵＳＢＨＤＤ２２により構成される。ＨＤＤ２１は、録画装置１００の内蔵型の補助記憶装置である。一方、ＵＳＢＨＤＤ２２は、周知のＵＳＢ方式を用いてＳＯＣ１６とリムーバブルに接続される補助記憶装置である。無論、録画装置１００が備える補助記憶装置２０を、ＨＤＤ２１、ＵＳＢＨＤＤ２２とで構成することは一例に過ぎず、１つの補助記憶装置２０により構成される場合や、ＳＳＤ等の半導体記録方式の補助記憶装置を、用いるものであってもよい。
【００２０】
図３は、補助記憶装置２０の記録領域を説明する図である。補助記憶装置２０（ＨＤＤ２１、ＵＳＢＨＤＤ２２）の記録領域は、通常録画での番組データの使用を対象とする通常録画領域２００と、ループ録画での使用を対象とするループ録画領域２１０とに分けて管理される。また、通常録画領域２００と、ループ録画領域２１０とは、それぞれ、番組データが記録済みのユーザ記録領域２０１、番組データの記録先となる空き領域２０２として管理される。各領域は、管理領域２２０に記録された各領域のアドレスを管理する管理テーブル２２５を用いて管理を行う。この管理テーブル２２５は、補助記憶装置２０に記録されている。
【００２１】
ユーザ記録領域２０１は、空き領域２０２に番組データを記録することで形成され、番組データの記録が禁止された領域である。
空き領域２０２は、番組データの書き込み先となる領域である。また、この空き領域２０２には、第１の領域２０３と第２の領域２０４とに分けて管理されている。
第１の領域２０３は、主にダビング時において、ダビング先として使用される領域である。また、第２の領域２０４は、録画時（通常録画）において録画先として使用される領域である。
【００２２】
ＳＯＣ１６には、サブコントローラ１７が接続されている。サブコントローラ１７は、図示しない表示部やリモコン装置４０からのコマンドを受け付けるリモコン受信部を備えている。ユーザはリモコン装置４０を操作することで、ループ録画にかかる操作を録画装置１００に入力することができる。
【００２３】
出力ＩＦ１８は、例えば、ＩＥＥＥ８０２．３規格に準拠したネットワーク接続端子無線ＬＡＮボード等の通信インタフェースを含む。通信部２５はこれらの通信インタフェー スを用いて、録画装置１００と外部の装置、例えば不図示のパソコンタブレット 等を接続し、デジタル信号の入出力を行う。これにより、例えばＤＬＮＡ機能による画像 ／音の配信、タブレットを用いた録画装置１００の遠隔操作等が可能となる。
【００２４】
システムコントローラ３０は、各種演算、処理、制御を行う演算処理装置である。システムコントローラ３０は、不図示のＲＯＭに記録されたプログラムや、フラッシュメモリ１４に記録されたデータをＤＲＡＭ１５に展開することで、所定の手段を実現することができる。  
【００２５】
図４は、システムコントローラ３０の機能を説明する機能ブロック図である。図４に示す各手段は、システムコントローラ３０が不図示のＲＯＭに記録されたプログラムを実行することにより実現される機能部を表している。
【００２６】
録画手段３１は、通常録画においては、通常録画領域２００の空き領域２０２に番組データを録画する。通常録画では、録画予約は個別の番組毎に設定されている。録画手段３１は、番組の放送時刻になると、チューナーユニット１１で受信した該当番組を、空き領域２０２に録画していく。
一方、録画手段３１は、ループ録画においては、ループ録画領域２１０の空き領域２０２に番組データを録画する。このループ録画では、チャンネル毎に設定された録画予約により、該当チャンネルを所定時間（例えば、２４時間）連続して録画する。録画手段３１は、チューナー群１１に対する選局制御、トランスコーダ１３に対する変換制御等を行い、ＨＤＤ１４に 対して常に録画データを記録することにより、ループ録画を行う。また、ループ録画では、ループ録画領域２１０の空き領域２０２の容量が閾値を下回った場合、ユーザ記録領域２０１に記録されている番組データのうち、最も古く録画された番組データを削除することで、空き領域２０２の確保が行われる。
【００２７】
自動保存手段３２は、ユーザによるダビング要求に先だって、録画済みの番組データを第１の領域２０３に記録する。以下、自動保存手段が番組データを第１の領域２０３に記録する処理を自動保存とも記載する。
【００２８】
ダビング手段３３は、ユーザによるダビング要求に応じて、ダビング対象となる番組データをダビングする。ダビング手段３３は、ユーザのダビング要求の対象となる番組データが第１の領域に記録されている場合は、該当する番組データが記録されている第１の領域２０３をユーザ記録領域２０１に変更することで、ダビングを完了させる。一方、ダビング手段３３は、ユーザからのダビング要求の対象となる番組データが第１の領域に記録されていなければ、該当する番組データを読み出しダビングする。
【００２９】
（２）ダビング方法
録画装置１００が実施するダビング方法を説明する。
図５は、ダビング処理を説明するフローチャートである。この第１の実施形態では、ループ録画領域２１０に記録された番組データを、通常録画領域２００にダビングする場合を例に説明を行う。
【００３０】
ステップＳ１では、システムコントローラ３０は、管理テーブル２２５を参照する。
【００３１】
ステップＳ２では、システムコントローラ３０は、ＨＤＤ２１の空き領域２０２に第１の領域２０３を割り当てる。
【００３２】
ステップＳ３では、システムコントローラ３０は、自動保存を開始する条件が成立するまで待機する。この第１の実施形態では、自動保存を開始する条件は、ユーザが録画装置１００の電源をオフして待機モードに移行した期間や、ユーザが録画装置１００を使用していない深夜等を想定している。自動保存を開始する条件が成立すると（ステップＳ３：ＹＥＳ）、ステップＳ４では、システムコントローラ３０は、自動保存を開始する。
【００３３】
図６は、自動保存手段３２がステップＳ４で実施する自動保存を説明するフローチャートである。図６に示す自動保存では、ユーザの番組の嗜好をもとに、自動保存する番組データが選択される。
【００３４】
ステップＳ４１では、システムコントローラ３０は、空き領域２０２に設定された第１の領域２０３の容量と、ループ録画領域２１０に録画されている番組のデータ量とを比較する。
【００３５】
ステップＳ４２では、システムコントローラ３０は、第１の領域２０３の容量がループ録画領域２１０に記録されている番組のデータ量と比べて多ければ（ステップＳ４２：ＮＯ）、ステップＳ４４に進む。ステップＳ４４では、システムコントローラ３４は、ループ録画領域２１０に記録されている番組データの優先度を『高』に設定する。ここで、『優先度』とは、番組データがユーザによってダビングされる可能性を示す値である。『優先度』が『高』に設定されていれば、システムコントローラ３０は、この番組がダビングされる可能性が高いと判断する。『優先度』が『中』に設定されていれば、システムコントローラ３０は、この番組がダビングされる可能性は、『高』に設定された番組と比べて低く、『低』に設定された番組と比べて高いと判断する。なお、優先度が設定されていない番組データは、『低』として判断される。
【００３６】
システムコントローラ３０は、第１の領域２０３の容量がループ録画領域２１０に記録されている番組のデータ量と比べて少なければ（ステップＳ４２：ＹＥＳ）、ステップＳ４３に進む。
ステップＳ４３では、システムコントローラ３０は、ユーザがループ録画領域２１０に記録された番組データのダビングを行っていれば（ステップＳ４３：ＹＥＳ）、ステップＳ４５に進む。例えば、システムコントローラ３０は、ＨＤＤ２１に記録された履歴テーブルを参照して、直近にユーザがループ録画領域２１０に記録された番組データのダビングを行っているかを判断する。
一方、履歴テーブルにユーザがダビングを行ったことが記録されていなければ（ステップＳ４３：ＮＯ）、ステップＳ５０に進む。
【００３７】
ステップＳ４５では、システムコントローラ３０は、ループ録画領域２１０に記録されている番組のうち、ダビングされた番組と同じ番組タイトルを含む番組を検索し、検索された番組データの優先度を『高』に設定する。ここで番組タイトルの一致は、文字列の全ての一致のみならず、一部一致も含まれる。
【００３８】
ステップＳ４６では、システムコントローラ３０は、第１の領域２０３の容量からステップＳ４５で検索された番組データの情報量の和を引いた値を算出する。ステップＳ４６で算出される値は、第１の領域２０３に優先度が『高』の番組データを全ての記録した後の、記録可能残量を示している。
【００３９】
ステップＳ４７では、システムコントローラ３０は、第１の領域２０３の記録可能残量が閾値Ｔ１以上であれば（ステップＳ４７：ＹＥＳ）、ステップＳ４８に進む。記録可能容量が閾値Ｔ１未満であれば（ステップＳ４７：ＮＯ）システムコントローラ３０はステップＳ５０に進む。
【００４０】
ステップＳ４８では、システムコントローラ３０は、履歴テーブルを参照してユーザがループ録画領域２１０に録画された番組の再生を行っていれば（ステップＳ４８：ＹＥＳ）、ステップＳ４９に進む。番組の再生を行っていなければ（ステップＳ４８：ＮＯ）、システムコントローラ３０はステップＳ５０に進む。
【００４１】
ステップＳ４９では、システムコントローラ３０は、履歴テーブルに記録されているユーザが再生を行った番組の番組タイトルと一致する番組タイトルを備える番組データをループ録画領域２１０から検索し、検索された番組データの優先度を『中』に設定する。
【００４２】
ステップＳ５０では、システムコントローラ３０は、優先度に応じて、通常録画領域２００の第１の領域２０３に番組を自動保存していく。例えば、システムコントローラ３０は、優先度が『高』のものから順に、ループ録画領域２１０に記録された番組データを第１の領域２０３に記録する。そして、ループ録画領域２１０に記録された優先度が『高』の全ての番組データが第１の領域２０３に記録されると、優先度が『中』の番組データを第１の領域２０３に記録していく。なお、ステップＳ５０の処理は、第１の領域２０３の録画可能容量が閾値を下回るまで継続される。
【００４３】
図５に戻り、ステップＳ５では、システムコントローラ３０は、ユーザからの録画要求がある場合（ステップＳ５：ＹＥＳ）、ステップＳ６に進む。
一方、ユーザからの録画要求がなければ（ステップＳ５：ＮＯ）、システムコントローラ３０は、ステップＳ９に進む。
【００４４】
ステップＳ６〜Ｓ８では、システムコントローラ３０は、通常録画領域２００の空き領域２０２（第２の領域２０４）の容量に応じて、録画対象となる番組データの記録先を変化させる。
【００４５】
ステップＳ６では、第２の領域２０４の容量が閾値Ｔ２以上であれば（ステップＳ６：ＹＥＳ）、ステップＳ７では、システムコントローラ３０は、第２の領域２０４に番組データを録画する。この場合、第２の領域２０４の録画可能容量が十分であるため、自動保存で第１の領域２０３に記録された番組データを消去することなく、番組データが録画される。
【００４６】
第２の領域２０４の容量が閾値Ｔ２未満であれば（ステップＳ６：ＮＯ）、ステップＳ８では、システムコントローラ３０は、第１の領域２０３を含めて番組データを録画する。この場合、第２の領域２０４の録画可能容量が十分ではないため、自動保存で第１の領域２０３に記録された番組データを消去することで、録画に必要な空き容量を確保する。空き容量を増やすために削除される番組データは、第１の領域２０３に記録されているどの番組データであってもよいが、優先度が設定されている場合に、優先度が『高』以下の番組データを消去するものであってもよい。
【００４７】
ステップＳ９では、システムコントローラ３０は、ユーザからのダビング要求がなければ（ステップＳ９：ＮＯ）、ステップＳ５に戻る。以下、ユーザからの録画要求があれば（ステップＳ５：ＹＥＳ）、ステップＳ６に進み、番組データの空き領域２０２への録画を行う。
ユーザからのダビング要求がある場合（ステップＳ９：ＹＥＳ）、システムコントローラ３０は、ステップＳ１０に進み、ダビング処理を行う。
【００４８】
図７は、ダビング手段３３がステップＳ１０で行うダビング処理を説明するフローチャートである。ステップＳ１０で行われるダビング処理では、ユーザによりダビング対象として選択された番組データが第１の領域２０３に記録されていれば、この番組データを使用してダビングを行う。一方、ユーザによりダビング対象として選択された番組データが第１の領域２０３に記録されていなければ、ループ録画領域２１０に記録されている番組データを使用してダビングを行う。
【００４９】
ステップＳ１１では、システムコントローラ３０は、ダビング対象として選択された番組の番組タイトルを取得する。
【００５０】
ステップＳ１２では、システムコントローラ３０は、ステップＳ１１で取得した番組タイトルと、第１の領域２０３に記録されている番組データの番組タイトルとを比較する。
【００５１】
ステップＳ１２における比較において、第１の領域２０３に番組タイトルが一致する番組データが存在すれば（ステップＳ１３：ＹＥＳ）、システムコントローラ３０は、ステップＳ１４に進む。ステップＳ１４では、システムコントローラ３０は、管理テーブル２２５における番組タイトルが一致した番組データが記録されている第１の領域２０３をユーザ記録領域２０１に変更する。そのため、番組のダビングが完了する。
【００５２】
ステップＳ１２における比較において、第１の領域２０３に番組タイトルが一致する番組データが存在しなければ（ステップＳ１３：ＮＯ）、システムコントローラ３０は、ステップＳ１５に進む。ステップＳ１５では、システムコントローラ３０は、ダビング対象として選択されている番組データをループ録画領域２１０からＤＲＡＭ１５に読み出し、所定の処理を行った後、ＨＤＤ２１の通常録画領域２００（空き領域２０２）にダビングする。
そして、ステップＳ１６では、システムコントローラ３０は、管理テーブル２２５上で番組データがダビング（録画）された空き領域２０２をユーザ記録領域２０１に変更する。
【００５３】
ダビング対象として選択されている全ての番組データのダビングが終了していなければ（ステップＳ１７：ＮＯ）、ステップＳ１８では、システムコントローラ３０は、対象となる番組データ（ダビング対象として選択された番組データ）を変更する。そして、ステップＳ１１に戻り、ステップＳ１７までの処理を繰り返す。
ダビング対象として選択されている全ての番組データのダビングが終了していれば（ステップＳ１７：ＹＥＳ）、システムコントローラ３０は、処理を終了する。
【００５４】
以上説明したようにこの第１の実施形態では、ユーザからのダビング要求に先だって、自動保存手段２２が番組データを第１の領域２０３に記録する場合でも、録画手段２１は、ＨＤＤ２１（補助記憶装置）の空き容量を第１の領域２０３と第２の領域２０４とを含めて判断する。そのため、録画装置１００を使用するユーザには、ＨＤＤ２１の空き容量がダビング処理に占有されず、補助記憶装置２０の容量が足りずに録画ができないといった状態を回避することができる。
【００５５】
また、ユーザの番組の嗜好に応じて自動保存の対象とする番組を選択することで、ダビングの際に第１の領域２０３からダビングされる番組の数を増やすことができる。
【００５６】
２．第２の実施形態：
この第２の実施形態では、自動保存手段２２は、自動保存の際、１つの番組にかかるデータをすべて第１の領域２０３に記録するのではなく、番組データの一部を第１の領域２０３に記録する構成が第１の実施形態と比べて異なる。
【００５７】
図８は、第２の実施形態において、図５のステップＳ４で実施される自動保存を説明するフローチャートである。
【００５８】
ステップＳ１４１では、システムコントローラ３０は、空き領域２０２に設定された第１の領域２０３の容量と、ループ録画領域２１０に録画されている番組のデータ量とを比較する。
【００５９】
ステップＳ１４２では、システムコントローラ３０は、第１の領域２０３の容量がループ録画領域２１０に記録されている番組のデータ量と比べて多ければ（ステップＳ１４２：ＮＯ）、ステップＳ１４３に進む。
そして、ステップＳ１４３では、システムコントローラ３４は、ループ録画領域２１０に記録されている全ての番組データを第１の領域２０３に記録する。
【００６０】
システムコントローラ３０は、第１の領域２０３の容量がループ録画領域２１０に記録されている番組のデータ量と比べて少なければ（ステップＳ１４２：ＹＥＳ）、ステップＳ１４４に進む。
ステップＳ１４４では、システムコントローラ３０は、ループ録画領域２１０に記録されている番組データの数に応じて番組データの分割幅を設定する。分割幅は、番組データを第１の領域２０３に記録する量を設定する値である。例えば、分割幅として、１０分が設定されている場合、３０分の番組データのうちの先頭の１０分のみが自動保存で記録される対象となる。分割幅の値は様々な値が想定される。
【００６１】
ステップＳ１４５では、システムコントローラ３０は、設定された分割幅に応じて、ループ録画領域２１０に記録されている番組データを、第１の領域２０３に記録する。無論、ループ録画領域２１０には、番組データの全てが記録されたままである。
【００６２】
図９は、第２の実施形態において、図５のステップＳ１０で行われるダビング処理を説明するフローチャートである。
【００６３】
ステップＳ２１１では、システムコントローラ３０は、ダビング対象として選択された番組の番組タイトルを取得する。
【００６４】
ステップＳ２１２では、システムコントローラ３０は、ステップＳ２１１で取得した番組タイトルと、第１の領域２０３に記録されている番組データの番組タイトルとを比較する。
【００６５】
ステップＳ２１２における比較において、第１の領域２０３に番組タイトルが一致する番組データが存在すれば（ステップＳ２１３：ＹＥＳ）、システムコントローラ３０は、ステップＳ２１４に進む。
ステップＳ２１４では、システムコントローラ３０は、管理テーブル２２５における番組タイトルが一致した番組データが記録されている第１の領域２０３をユーザ記録領域２０１に変更する。この第２の実施形態では、第１の領域２０３には番組データの一部のみが記録されているため、ステップＳ２１４の処理では、一部の番組データのみがダビングされる。
【００６６】
ステップＳ２１５では、ステップＳ２１４でダビングされなかった残りの番組データをループ録画領域２１０からＤＲＡＭ１５に読み出し、所定の処理を行った後、ＨＤＤ２１の第２の領域２０４にダビングする。ステップＳ２１７では、システムコントローラ３０は、管理テーブル２２５上で番組データがダビング（録画）された第２の領域２０４をユーザ記録領域２０１に変更する。
【００６７】
ステップＳ２１２における比較において、第１の領域２０３に番組タイトルが一致する番組データが存在しなければ（ステップＳ２１３：ＮＯ）、システムコントローラ３０は、ステップＳ２１６に進む。ステップＳ２１６では、システムコントローラ３０は、ダビング対象として選択されている番組データをループ録画領域２１０からＤＲＡＭ１５に読み出し、所定の処理を行った後、ＨＤＤ２１の第２の領域２０４にダビングする。
そして、ステップＳ２１７では、システムコントローラ３０は、管理テーブル２２５上で番組データがダビング（録画）された第２の領域２０４をユーザ記録領域２０１に変更する。
【００６８】
ダビング対象として選択されている全ての番組データのダビングが終了していなければ（ステップＳ２１８：ＮＯ）、ステップＳ２１９では、システムコントローラ３０は、対象となる番組データ（ダビング対象として選択された番組データ）を変更する。そして、ステップＳ２１１に戻り、ステップＳ２１７までの処理を繰り返す。
ダビング対象として選択されている全ての番組データのダビングが終了していれば（ステップＳ２１８：ＹＥＳ）、システムコントローラ３０は、処理を終了する。
【００６９】
以上説明したようにこの第２の実施形態では、第１の実施形態で奏する効果に加えて以下の効果を奏する。番組データを分割して録画することができるため、自動保存の対象とする番組を多くすることができる。その結果、ダビングの際に第１の領域２０３からダビングされる番組の数を増やすことができる。
【００７０】
３．第３の実施形態：
ダビングの対象となる番組データとして、フォーマット変換の対象である番組データであってもよい。例えば、録画装置１００が図示しない端末と通信し、ループ録画領域２１０に記録されている番組データを端末に送信する場合、番組データのフォーマットを端末に合わせて変換する必要がある。そのため、この第３の実施形態では、図４のステップＳ４（自動保存処理）において、自動保存手段２２は、番組データのフォーマット変換を行い、変換後の番組データをＨＤＤ２１の第１の領域２０３に記録する。そして、図４のステップＳ１０では、ダビング手段２３は、第１の領域２０３に記録されたフォーマットが変換された番組データに対して管理テーブル２２５を操作してダビングを完了させる。
【００７１】
上記のように構成された第３の実施形態では、フォーマット変換に時間を要する場合でも、事前にフォーマット変換を済ませておくことができるため、ユーザがダビングを要求してからダビングを完了させるまでに要する時間を短くすることができる。
【００７２】
４．第４の実施形態：
ダビングの対象となる番組データは、異なる補助記憶装置２０の間でのダビングであってもよい。例えば、録画装置１００は、ＵＳＢ−ＨＤＤ２２に記録されている番組データをＵＳＢ２１にダビングする場合に、第１の実施形態で示した図４の処理を用いてダビングを行うものであってもよい。
【００７３】
上記のように構成された第４の実施形態では、異なる補助記憶装置間でダビングを行う場合でも、フォーマット変換に時間を要する場合でも、事前にフォーマット変換を済ませておくことができるため、ユーザがダビングを要求してからダビングを完了させるまでに要する時間を短くすることができる。
【００７４】
５．第５の実施形態：
ダビングの対象となる番組データは、コピー制限が付与されている番組データであってもよい。
図１０は、第５の実施形態において、図５のステップＳ４（自動保存処理）で実施される処理を説明するフローチャートである。
【００７５】
ステップＳ２４１では、システムコントローラ３０（自動保存手段２２）は、番組データがコピー制限番組であるか否かを解析する。
【００７６】
番組データがコピー制限番組でなければ（ステップＳ２４２：ＮＯ）、システムコントローラ３０は、ステップＳ２４３に進む。ステップＳ２４３では、システムコントローラ３０は、第１の領域２０３に番組データを記録する。
【００７７】
一方、番組データがコピー制限番組であれば（ステップＳ２４２：ＹＥＳ）、システムコントローラ３０は、ステップＳ２４４に進む。ステップＳ２４４では、システムコントローラ３０は、番組データのコピー可能回数を１減らすことなく番組データを第１の領域２０３に記録する。
【００７８】
ステップＳ２４５では、システムコントローラ３０は、第１の領域２０３に記録した番組データを暗号化する。そして、システムコントローラ３０は、自動保存処理を終了する。
【００７９】
図１１は、第５の実施形態において、図５のステップＳ１０で行われるダビング処理を説明するフローチャートである。
【００８０】
ステップＳ１２１１では、システムコントローラ３０は、ダビング対象して選択された番組の番組タイトルを取得する。ステップＳ１２１２では、システムコントローラ３０は、ステップＳ１２１１で取得した番組タイトルと、第１の領域２０３に記録されている番組データの番組タイトルとを比較する。
ステップＳ１２１２における比較において、第１の領域２０３に番組タイトルが一致する番組データが存在すれば（ステップＳ１２１３：ＹＥＳ）、システムコントローラ３０は、ステップＳ２１４に進む。
【００８１】
ステップＳ１２１４では、システムコントローラ３０は、番組データの暗号化を解除する。
ステップＳ１２１５では、システムコントローラ３０は、管理テーブル２２５における番組タイトルが一致した番組データが記録されている第１の領域２０３をユーザ記録領域２０１に変更する。
そして、ステップＳ１２１８では、システムコントローラは、コピー回数を１減らす。そのため、ステップＳ１０において行われるダビング処理において、コピー回数が１だけ減らされることとなる。
【００８２】
ステップＳ１２１２における比較において、第１の領域２０３に番組タイトルが一致する番組データが存在しなければ（ステップＳ１２１３：ＮＯ）、ステップＳ１２１６では、システムコントローラ３０は、ダビング対象として選択されている番組データをループ録画領域２１０からＤＲＡＭ１５に読み出し、所定の処理を行った後、ＨＤＤ２１の第２の領域２０４にダビングする。
そして、ステップＳ１２１７では、システムコントローラ３０は、管理テーブル２２５上で番組データがダビング（録画）された第２の領域２０４をユーザ記録領域２０１に変更する。また、ステップＳ１２１８では、システムコントローラは、コピー回数を１減らす。
【００８３】
ダビング対象として選択されている全ての番組データのダビングが終了していなければ（ステップＳ１２１９：ＮＯ）、ステップＳ１２２０では、システムコントローラ３０は、対象となる番組データ（ダビング対象として選択された番組データ）を変更する。そして、ステップＳ１２１１に戻り、ステップＳ１２１８までの処理を繰り返す。
ダビング対象として選択されている全ての番組データのダビングが終了していれば（ステップＳ１２１９：ＹＥＳ）、システムコントローラ３０は、処理を終了する。
【００８４】
以上説明したようにこの第５の実施形態では、ユーザによるダビング要求に先だって、番組データを自動保存するダビングを行う際、番組データがコピー回数制限の対象である場合でも、通常のダビングと同様コピー回数を１回だけ減らしてダビングを行うことができる。
【００８５】
６．第６の実施形態：
ダビングの対象となる番組データを第１の領域２０３に自動保存した後、ダビング元の番組データが破損した場合に、第１の領域２０３に番組データが残っている場合は、第１の領域２０３に記録されている番組データをもとに、ダビング元の番組データを復元させてもよい。
上記のように構成することで、ダビング元の番組データの破損に対しても対処することができる。
【００８６】
７．第７の実施形態：
ループ録画領域２１０に記録されている番組データの再生を選択することができる電子番組表（過去番組表ともいう）において、ループ録画の削除対象となった番組が、通常録画領域２００の第１の領域２０３に自動保存されている場合は、この番組を過去番組表に表示させてもよい。
【００８７】
図１２は、システムコントローラ（電子番組表表示手段）３０が実行する処理を示すフローチャートである。図１３は、録画装置１００によって表示される電子番組表を示す図である。
【００８８】
ステップＳ７１では、システムコントローラ３０は、ループ録画領域２１０に記録されているもっとも録画日時が古い番組データを削除する。
【００８９】
ステップＳ７２では、システムコントローラ３０は、管理テーブル２２５を参照してステップＳ７１で削除した番組データが通常録画領域２００に自動保存されているか検索する。
【００９０】
番組データが自動保存されている場合（ステップＳ７３：ＹＥＳ）、ステップＳ７４では、システムコントローラ３０は、過去番組表の該当する番組データが表示されている番組欄に『自動保存済み』の文字列を表示させる。そして、システムコントローラ３０は処理を終了する。
【００９１】
番組データが自動保存されていなければ（ステップＳ７３：ＮＯ）、ステップＳ７５では、システムコントローラ３０は、過去番組表の該当する番組データが表示されている番組欄を削除する。すなわち、過去番組表から該当する番組データの番組欄を削除する。そして、システムコントローラ３０は処理を終了する。
【００９２】
以上説明したように、この第７の実施形態では、過去番組表に自動保存済されている番組データを表示させることができる。
【００９３】
８．その他の実施形態：
自動保存で番組データを選択する嗜好度は、番組の再生や視聴に限定されない。例えば、補助記憶装置（ＵＳＢ２１、ＵＳＢＨＤＤ２２）の使用頻度をもとに、嗜好度を判定するものであってもよい。
録画の手法としてループ録画を用いたことは一例に過ぎない。例えば、通常録画で録画された番組データをダビングする場合に、本発明を適用するものであってもよい。
【００９４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。 
【符号の説明】
【００９５】
１１…チューナーユニット、１２…復調ＩＣ、１３…トランスコーダ、１４…フラッシュメモリ、１５…ＤＲＡＭ、１６…ＳＯＣ、１７…サブコントローラ、１８…出力ＩＦ、２０…補助記憶装置、２１…ＨＤＤ、２２……ＵＳＢＨＤＤ、３０…システムコントローラ、３１…録画手段、３２…自動保存手段、３３…ダビング手段、１００…録画装置
【図１】
2015226119.tif 000003
【図２】
2015226119.tif 000004
【図３】
2015226119.tif 000005
【図４】
2015226119.tif 000006
【図５】
2015226119.tif 000007
【図６】
2015226119.tif 000008
【図７】
2015226119.tif 000009
【図８】
2015226119.tif 000010
【図９】
2015226119.tif 000011
【図１０】
2015226119.tif 000012
【図１１】
2015226119.tif 000013
【図１２】
2015226119.tif 000014
【図１３】
2015226119.tif 000015